(57)【要約】      （修正有）【課題】ひとつの二次元コードに複数のアドレス情報を設定可能とすることで、情報の提供方法に柔軟性や多様性を持たせることができるシステム及び方法を提供する。【解決手段】情報提供システムは、１つの印影コードに対し複数の情報発信サイトにアクセスするための複数のＵＲＬを登録するデータベース１１２と、データベース１１２の複数のＵＲＬから１つを選択するアドレス選択手段２０３と、印影コードを読み取る読取手段２０４と、印影コードから識別情報を復号する識別情報抽出手段２０５と、データベース１１２を参照し識別情報に基づいて選択ＵＲＬを取得するアドレス情報取得手段２０６と、選択ＵＲＬに基づいて情報発信サイトにアクセスし情報を提示する情報提示手段２０７とを備える。また、情報発信者からの求めに応じて、データベース１１２において設定された選択ＵＲＬを他の登録ＵＲＬに切り換る選択アドレス切換手段１０５を更に備える。【選択図】図２
2020061025.tif 000002
【特許請求の範囲】
【請求項１】
印影コードを用いて情報を提供する情報提供システムであって、
１つの印影コードに対し１つ又は複数の情報発信サイトにそれぞれアクセスするための１つ又は複数のアドレス情報を関連付けて管理するデータベースと、
前記データベースにおいて前記印影コードについて関連付けられているアドレス情報が１つの場合にはそのアドレス情報を選択アドレス情報として設定し、関連付けられているアドレス情報が複数の場合にはそれらのうちから１つを選択して選択アドレス情報として設定するアドレス選択手段と、
印影コードを読み取ることが可能な読取手段と、
読み取った前記印影コードを復号し識別情報を抽出する識別情報抽出手段と、
前記データベースを参照し、前記識別情報に基づいて設定されている前記選択アドレス情報を取得するアドレス情報取得手段と、
取得した前記選択アドレス情報に基づいて情報発信サイトにアクセスし、当該情報発信サイトが発信する情報を提示する情報提示手段と、
を備える情報提供システム。
【請求項２】
情報を提供する情報発信者からの求めに応じ、前記データベースにおいて、当該情報発信者に関連する印影コードについて設定された前記選択アドレス情報を、当該印影コードに関連付けられている他のアドレス情報に切り換えて設定する選択アドレス切換手段を更に備える、請求項１に記載の情報提供システム。
【請求項３】
特定のユーザに対してのみに前記選択アドレス情報を提示することで前記情報発信サイトへのアクセスを制限する制限手段を更に備える、請求項１又は２に記載の情報提供システム。
【請求項４】
ユーザの情報端末にインストールされるアプリケーションプログラムであって、少なくとも、請求項１に記載の識別情報抽出手段及びアドレス情報取得手段の機能を、当該情報端末のプロセッサが行う演算処理により実現させるアプリケーションプログラム。
【請求項５】
印影コードを用いて情報を提供する情報提供方法であって、
情報を提供する情報発信者側の情報端末における処理が、
１つの印影コードに対し１つ又は複数の情報発信サイトにそれぞれアクセスするための１つ又は複数のアドレス情報をデータベースに関連付けるステップと、
前記データベースにおいて前記印影コードについて関連付けられているアドレス情報が１つの場合にはそのアドレス情報を選択アドレス情報として設定し、関連付けられているアドレス情報が複数の場合にはそれらのうちから１つを選択して選択アドレス情報として設定するステップと
を含み、
情報の提供を受ける情報受信者側の情報端末における処理が、
印影コードを読み取るステップと、
読み取った前記印影コードから識別情報を復号するステップと、
前記データベースを参照して、前記識別情報に関連付けられた選択アドレス情報を取得するステップと、
取得した前記選択アドレス情報に基づいて情報発信サイトにアクセスし、当該情報発信サイトが発信する情報を提示するステップと
を含む情報提供方法。
【請求項６】
情報を提供する情報発信者からの求めに応じ、前記データベースにおいて、当該情報発信者に関連する前記印影コードについて設定された前記選択アドレス情報を、当該印影コードに関連付けられている他のアドレス情報に切り換えて設定するステップを更に含む、請求項５に記載の情報提供方法。
【請求項７】
請求項１〜３の何れか１項に記載の情報提供システムに用いられ、前記印影コードを紙媒体に転写可能な印面を有する印判。
【請求項８】
請求項５又は６に記載の情報提供方法に用いられ、前記印影コードを紙媒体に転写可能な印面を有する印判。
【発明の詳細な説明】
【技術分野】
【０００１】
本発明は、紙媒体等に捺印又は印刷した印影コードを介して、各種情報をユーザに提供可能な情報提供システム及び情報提供方法に関する。
【背景技術】
【０００２】
製造・流通・販売等の各分野において、ＱＲコード（登録商標）に代表される二次元コードは、製品及び部品の在庫管理、入出荷管理、情報提供等に広く用いられている。特にマトリクス型の二次元コードは、情報量が多く偽造防止にも優れていることから、本人を認証するためのＩＤカードやパスポートにも使用されている。
【０００３】
また、シート体に印字した二次元コードを介して各種情報を提供するシステムも知られている。例えば特許文献１には、情報提供者本人のホームページ等の情報発信サイトへのリンク情報を含む二次元コードを名刺に捺印し、名刺を渡された他の利用者がカメラ機能を有する端末（例えば携帯電話）を使って情報発信サイトにアクセスすることで、名刺に記載した本人についてのより詳細な情報を提供できるようにした情報提供システムが開示されている。
【先行技術文献】
【特許文献】
【０００４】
【特許文献１】特開２０１０−０２７００８号公報
【特許文献２】特表２００６−５２７５４４号公報
【発明の概要】
【発明が解決しようとする課題】
【０００５】
従来の情報提供システムでは、二次元コードとそのリンク先であるホームページ等のＵＲＬ（Uniform Resource Locator）との関連付けが固定化されており、一度設定したリンク先のアドレスを変更することはできない。そのため、名刺を作成した本人が、自己のライフスタイルや近況の変化等に合わせて開示する情報内容を変更しようとする場合には、リンク先のホームページの内容を編集し直すか、又は最新のサイトに対応した二次元コードを新たに発行して名刺を再配付するしかなかった。
また、もし二次元コードを印字した名刺が不特定の第三者に渡ってしまうと、本人の意図を超えた形で個人的な情報が拡散してしまうおそれもある。
【０００６】
本発明は、こうした事情に鑑みてなされたものであり、二次元コードが表示された印影を介して各種情報を提供可能な情報提供システムにおいて、ひとつの二次元コードに複数のアドレス情報を設定可能とすることで、情報の提供方法に柔軟性や多様性を持たせることができる等の技術を提供することを目的としている。
【課題を解決するための手段】
【０００７】
上述した課題を解決するため、本発明は、印影コードを用いて情報を提供する情報提供システムであって、１つの印影コードに対し１つ又は複数の情報発信サイトにそれぞれアクセスするための１つ又は複数のアドレス情報を関連付けて管理するデータベースと、前記データベースにおいて前記印影コードについて関連付けられているアドレス情報が１つの場合にはそのアドレス情報を選択アドレス情報として設定し、関連付けられているアドレス情報が複数の場合にはそれらのうちから１つを選択して選択アドレス情報として設定するアドレス選択手段と、印影コードを読み取ることが可能な読取手段と、読み取った前記印影コードを復号し識別情報を抽出する識別情報抽出手段と、前記データベースを参照し、前記識別情報に基づいて設定されている前記選択アドレス情報を取得するアドレス情報取得手段と、取得した前記選択アドレス情報に基づいて情報発信サイトにアクセスし、当該情報発信サイトが発信する情報を提示する情報提示手段と、を備える情報提供システムである。
【０００８】
情報提供システムは、情報を提供する情報発信者からの求めに応じ、前記データベースにおいて、当該情報発信者に関連する印影コードについて設定された前記選択アドレス情報を、当該印影コードに関連付けられている他のアドレス情報に切り換えて設定する選択アドレス切換手段を更に備えることが好ましい。
【０００９】
また、情報提供システムは、特定のユーザに対してのみに前記選択アドレス情報を提示することで前記情報発信サイトへのアクセスを制限する制限手段を更に備えることが好ましい。
【００１０】
また、本発明は、ユーザの情報端末にインストールされるアプリケーションプログラムであって、少なくとも、前記の識別情報抽出手段及びアドレス情報取得手段の機能を、当該情報端末のプロセッサが行う演算処理により実現させるアプリケーションプログラムである。
【００１１】
また、本発明は、印影コードを用いて情報を提供する情報提供方法であって、情報を提供する情報発信者側の情報端末における処理が、１つの印影コードに対し１つ又は複数の情報発信サイトにそれぞれアクセスするための１つ又は複数のアドレス情報をデータベースに関連付けるステップと、前記データベースにおいて前記印影コードについて関連付けられているアドレス情報が１つの場合にはそのアドレス情報を選択アドレス情報として設定し、関連付けられているアドレス情報が複数の場合にはそれらのうちから１つを選択して選択アドレス情報として設定するステップとを含み、情報の提供を受ける情報受信者側の情報端末における処理が、印影コードを読み取るステップと、読み取った前記印影コードから識別情報を復号するステップと、前記データベースを参照して、前記識別情報に関連付けられた選択アドレス情報を取得するステップと、取得した前記選択アドレス情報に基づいて情報発信サイトにアクセスし、当該情報発信サイトが発信する情報を提示するステップとを含む情報提供方法である。
【００１２】
情報提供方法は、情報を提供する情報発信者からの求めに応じ、前記データベースにおいて、当該情報発信者に関連する前記印影コードについて設定された前記選択アドレス情報を、当該印影コードに関連付けられている他のアドレス情報に切り換えて設定するステップを更に含むことが好ましい。
【００１３】
また、本発明は、前記の情報提供システム又は情報提供方法に用いられ、前記印影コードを紙媒体に転写可能な印面を有する印判である。
【発明の効果】
【００１４】
本発明によれば、ひとつの二次元コードに複数のアドレス情報を設定可能とすることで、情報の提供方法に柔軟性や多様性を持たせることができる。
【図面の簡単な説明】
【００１５】
【図１】印影コードを用いた情報提供方法の概要を説明するための図である。
【図２】情報提供システムにおける各機能を実現するための手段を示す図である。
【図３】情報発信者側の端末における初期設定に関する処理を説明するためのフローチャートである。
【図４】情報発信者側の端末に表示されるＵＲＬ設定画面の例を示す図である。
【図５Ａ】アドレス管理テーブルにおけるＵＲＬの登録を説明するための図である。
【図５Ｂ】アドレス管理テーブルにおけるＵＲＬの選択を説明するための図である。
【図６】情報発信者側の端末に表示されるアクセス制限設定画面の例を示す図である。
【図７】情報受信者側の端末において情報の提供を受ける処理を説明するためのフローチャートである。
【図８】印影コードから復号される識別情報に基づいてアドレス情報を取得する例を説明するための図である。
【図９】アプリケーションサービスサーバのインデックスページ画面の例を示す図である。
【図１０】情報発信者側の端末において設定した選択ＵＲＬの切換処理を説明するためのフローチャートである。
【図１１】アドレス管理テーブルにおける切換後の選択ＵＲＬを例示する図である。
【発明を実施するための形態】
【００１６】
本発明の好適な実施形態による情報提供システムを説明する。なお、本明細書において「印影コード」とは、紙媒体等に転写された印影によって表示される、例えばＱＲコード（登録商標）、ドットコード等の二次元コードをいう。また「転写」とは、印影が対象媒体に捺印、印刷される他、対象媒体にフィルムやシートが添着等される態様をも含む。ここでは、図１に示すように、印判１により印影４をカード３に捺印し、そのカード３を情報受信者に配付して各種情報を提供可能にする実施形態を例に説明する。
【００１７】
本情報提供システを構成するハードウエア要素としては、図１に示すように、本システムのサービス事業者が運営するアプリケーションサービスサーバ（以下「サービスサーバ」という。）１０、サービスサーバ１０に接続されるデータベース１１、ユーザが所有する情報端末であるスマートフォン５、６、情報発信サイト２１、２２のサイトサーバを含む。
【００１８】
図２に、本情報提供システムにおける各機能を実現するための手段を例示する。サービスサーバ１０には、アプリ提供手段１０１、ユーザ登録手段１０２、アドレス登録手段１０３、アドレス提示手段１０４、選択アドレス切換手段１０５、アクセス制限手段１０６が設けられている。これらの手段による各機能（後述）は、サービスサーバ１０のコンピュータが所定のプログラムに従って演算処理を実行することにより実現される。
【００１９】
また、データベース１１には、ユーザ管理テーブル１１１、アドレス管理テーブル１１２、アクセス制限管理テーブル１１３等の各種登録データが、サービスサーバ１０により記録更新可能に管理されている。
【００２０】
ユーザが所持する情報端末（例えばスマートフォン５、６）には、ユーザ登録要求手段２０１、アドレス設定要求手段２０２、アドレス選択切換要求手段２０３、印影読取手段２０４、識別情報抽出手段２０５、アドレス情報取得手段２０６、情報提示手段２０７が設けられている。これらの手段による各機能（後述）は、情報端末５、６に備えられるマイクロプロセッサが、インストールされたアプリケーションプログラム２に従った演算処理により実現される。
【００２１】
以下、上記各手段による具体的な処理を順次説明する。本システムを利用するために、前提として、一方のユーザである情報発信者は、二次元コードを印面に形成した印判１を販売店又はＥＣサイト１２などから購入する必要がある。この二次元コードは印判毎に発行され、ユニークに割り当てられる。
【００２２】
はじめに、図３のフローチャートを参照して、情報発信者側の情報端末（スマートフォン５）における初期設定である、専用のアプリケーションプログラム（以下「アプリ」という。）のインストール、ユーザ登録、情報発信サイトにアクセスするためのアドレスであるＵＲＬ（Uniform Resource Locator）の設定等の一連の処理について説明する。
【００２３】
先ず、印判１を購入したユーザは、自分の例えばスマートフォン５からサービス事業者のサイトにアクセスしてアプリ２のダウンロードを行う。サービスサーバ１０のアプリ提供手段１０１は、ダウンロードの指示を受けると、当該スマートフォン５にアプリ２のデータをダウンロードする（ステップＳ１０）。ダウンロードが完了するとスマートフォン５はアプリ２のインストール処理を開始する（ステップＳ１１）。
【００２４】
アプリ２の初期設定画面において、ユーザは、メールアドレス等の任意のユーザ名と、暗証番号その他必要な登録情報を入力する。ユーザ登録要求手段２０１は、ユーザが入力した登録情報をサービスサーバ１０に送信する（ステップＳ１２）。サービスサーバ１０のユーザ登録手段１０２は、送信された登録情報を検収し、問題がなければ当該ユーザのユーザアカウントを作成する（ステップＳ１３）。そして、当該ユーザのユーザ名、暗証番号その他の登録情報を、データベース１１のユーザ管理テーブル１１１に登録する（ステップＳ１４）。
【００２５】
ユーザ登録を行った情報発信者は、次に、購入した印判１の印影コード４ａに情報発信サイトのＵＲＬアドレスを設定する作業を行う。情報発信サイトは、情報発信者自身のホームページ又はブログ、特定の情報を掲載するファイル又はページ、Ｆａｃｅｂｏｏｋ（登録商標）などのＳＮＳ（Social Networking Service）アカウントのページなど、インターネット上からアクセス可能な自己の又は公開されているサイトであれば特に制限はない。
【００２６】
そのために、情報発信者は、購入した印判１の印影４をアプリ２で撮影し読み取る（ステップＳ１５）。また、情報発信者は、購入した印判１のパッケージ等に記載された印判識別コードをアプリ２の設定画面から入力する（ステップＳ１６）。アドレス設定要求手段２０２は、印影の画像データ（印影コード）及び入力された印判識別コードを含むアドレス設定要求をサービスサーバ１０に送信する（ステップＳ１７）。
【００２７】
なお、印影コードの二次元コード情報には、当該印影コードを識別するためユニークに割り当てられた識別情報である印影コードＩＤ（後述）が含まれる。上述の「印判識別コード」と「印影コードＩＤ」は、共通のコード番号であってもよいが、それぞれ異なるコード番号とすることが好ましい。
【００２８】
サービスサーバ１０は、送信された印影コードと印判識別コードとを照合する（ステップＳ１８）。サービスサーバ１０は、印判識別コードが当該印判１に正規に割り当てられたもの、つまり当該情報発信者が印判１の購入者であることを確認すると、次にスマートフォン５の画面にＵＲＬ設定画面５０（例えば図４参照）を表示させる（ステップＳ１９）。
【００２９】
情報発信者は、ＵＲＬ設定画面５０上で、情報を提供する情報発信サイトのＵＲＬを入力する。本システムにおいては、１つの印判（印影コード）に複数のＵＲＬを登録することができる。スマートフォン５のアドレス設定要求手段２０２は、入力された全てのＵＲＬ情報をサービスサーバ１０に送信する（ステップＳ２０）。例えば図５Ａに示すように、アドレス登録手段１０３は、当該印判１の印影コードＩＤに対し、送信されてきた全てのＵＲＬをデータベース１１のアドレス管理テーブル１１２において登録し、印影コードＩＤに関連付ける（ステップＳ２１）。
【００３０】
また、情報発信者は、ＵＲＬ設定画面５０上で、入力した複数のＵＲＬのうちの１つを、情報を提供するリンク先アドレスとして選択することができる（ステップＳ２２）。例えば図５Ｂに示すように、アドレス登録手段１０３は、選択されたＵＲＬ（例えばＵＲＬ〔２〕）の情報をアドレス管理テーブル１１２に選択ＵＲＬとして設定する（ステップＳ２３）。
なお、本明細書では、アドレス管理テーブル１１２に印影コードＩＤに関連付けて登録された、情報発信サイトのＵＲＬを「登録ＵＲＬ」と称し、そのうち選択されたＵＲＬ（本発明の「選択アドレス情報」に対応）を「選択ＵＲＬ」と称する。
【００３１】
また、図３のフローチャートには示していないが、情報発信者であるユーザは、スマートフォン５のアクセス制限設定画面５１から、登録ＵＲＬ毎に、他のユーザ（情報受信者）に対し情報提供サイトへの閲覧時に要求するパスワードを設定してもよい（図６参照）。また、指定した特定のユーザのみにアクセスを無条件で許可する設定を行ってもよい。つまり、選択されていない登録ＵＲＬであっても、指定されたユーザに対してはアクセスを許可することができる。
ここで設定されたアクセス制限に係る条件は、サービスサーバ１０に送信され、データベース１１のアクセス制限管理テーブル１１３に登録される。
【００３２】
次に、もう一方のユーザである情報受信者が印影コードを用いて情報を受け取る処理を説明する。図１に示したように、情報発信者は、購入した印判１を使用してカード３に印影４を捺印し、そして情報を提供したい情報受信者にカード３を配付する。情報受信者は、自分の所有する例えばスマートフォン６を使って印影コード４ａを撮影し、情報発信サイト２１、２２から閲覧等により情報の提示を受けることができる。
【００３３】
図７のフローチャートを参照して、情報受信者が情報の提供を受ける処理について更に詳細に説明する。
【００３４】
カード３を渡された情報受信者は、自分所有のスマートフォン６からアプリ２を起動し、印影読取手段２０４によってカード３に捺印された印影４を撮影し印影コード４ａを読み取る（ステップＳ３１）。識別情報抽出手段２０５は、読み取った印影コード４ａから一次情報を復号する（ステップＳ３２）。印影コード４ａから復号される一次情報には、印影コード４ａの識別情報である印影コードＩＤと、サービスサーバ１０のＩＰアドレス又はＵＲＬが含まれる。
【００３５】
続いてスマートフォン６のアドレス情報取得手段２０６は、印影コード４ａに設定されている情報提供サイトのＵＲＬを問い合わせるため、サービスサーバ１０に印影コードＩＤを送信する（ステップＳ３３）。
【００３６】
サービスサーバ１０のアドレス提示手段１０４は、データベース１１のアドレス管理テーブル１１２を参照して、送信された印影コードＩＤに関連付けられている選択ＵＲＬを検索する。例えば図８に示すように、送信された一次情報に含まれる印影コードＩＤに基づいて、それに関連付けられている複数の登録ＵＲＬのうちから選択中のＵＲＬ（例ではＵＲＬ〔２〕）の情報をスマートフォン６に返信する（ステップＳ３４）。
【００３７】
なお、アドレス管理テーブル１１２において、印影コード４ａについて登録されているＵＲＬが１つの場合には、そのＵＲＬが選択ＵＲＬとして扱われスマートフォン６に返信される。また、選択ＵＲＬが設定されていなければ、直近にアドレス管理テーブル１１２に登録されたＵＲＬを、選択ＵＲＬとして取り扱うことが好ましい。
【００３８】
スマートフォン６においてＵＲＬの情報が取得されると（ステップＳ３８）、情報提示手段２０７は、直ちにそのＵＲＬの情報提供サイト（例えば情報提供者のホームページ）２２にアクセスする（ステップＳ３９）。情報提供サイト２２のサーバは、情報コンテンツ２２ａのデータを例えばＨＴＴＰ（Hypertext Transfer Protocol）方式でスマートフォン６に送信し（ステップＳ４０）、情報提示手段２０７のブラウザ機能により、写真やメッセージなどの情報コンテンツ２２ａをスマートフォン６の画面に表示する（ステップＳ４１）。
【００３９】
なお、印影コード４ａの復号から情報コンテンツ２２ａを表示するまでのプロセスは、アプリ２のバックグラウンド処理により実行される。すなわち情報受信者は、印影コード４ａを読み取る操作をするだけで、後は自動的に情報コンテンツを閲覧することができる。
【００４０】
また、印影コード４ａには、サービスサーバ１０のインデックスページのアドレス情報が設定されている。そのため、カード３を渡されたユーザが、専用のアプリ２ではなく一般的なブラウザを使って印影コード４ａを読み取った場合には、サービスサーバ１０のインデックスページが表示される。つまり、設定されたＵＲＬにアクセスすることはできず、何ら情報提供を受けることができない。
多くのユーザに本システムの利用を促進するため、例えば図９に示すように、サービスサーバ１０のインデックスページ６０に、「本サービスを利用するには専用のアプリが必要です。」といったメッセージの表示や、専用のアプリをダウンロードするためのリンクボタンを設置して、アプリのインストールを促すようにしてもよい。
【００４１】
また、サービスサーバ１０は、特定のユーザに対してのみに二次情報、つまり印影コード４ａに設定されているＵＲＬを提示することで、情報発信サイトへのアクセスを当該特定のユーザのみに制限してもよい。具体的に、アクセス制限手段１０６は、情報提供者が上述したアクセス制限設定画面５１（図６参照）でアクセスを許可した以外のユーザに関しては、ステップＳ３８で検索したＵＲＬの情報を送信しないようにすることができる。
また、ＵＲＬ設定画面５０でパスワードを設定したＵＲＬに関しては、アクセス前にスマートフォン６の画面からパスワードの入力を求めてもよい。アクセス制限手段１０６は、データベース１１のアクセス制限管理テーブル１１３に登録されたパスワードと、スマートフォン６に入力されたパスワードとが一致した場合のみ、情報提示手段２０７にそのＵＲＬを提示することができる。
【００４２】
また、本実施形態の情報提供システムにおいては、情報発信者からの求めに応じ、データベース１１のアドレス管理テーブル１１２に記録されている自己の印影コード４ａについて設定された選択ＵＲＬを、当該印影コード４ａに関連付けられている他の登録ＵＲＬに切り換えることができる。
【００４３】
この選択ＵＲＬの切換処理を、図１０のフローチャートを参照して具体的に説明する。先ず、情報発信者は、自己のスマートフォン５のアプリ２を起動し、ユーザ名や暗証番号などの認証情報を入力する（ステップＳ５１）。スマートフォン５のアドレス選択切換要求手段２０３は、入力された認証情報とともに選択アドレス切換要求をサービスサーバ１０に送信する。
【００４４】
サービスサーバ１０は、入力された認証情報に基づき情報発信者のユーザを認証すると（ステップＳ５２）、スマートフォン５にＵＲＬ設定画面５０（図４参照）を表示させる（ステップＳ５３）。情報発信者が画面上で新しく切り換えたいＵＲＬ（例えばＵＲＬ〔１〕）にチェックを入れると、アドレス選択切換要求手段２０３は、その情報をサービスサーバ１０に送信する（ステップＳ５４）。サービスサーバ１０の選択アドレス切換手段１０５は、例えば図１１に示すように、アドレス管理テーブル１１２において印影コードＩＤに設定した選択ＵＲＬを、これまでのＵＲＬ〔２〕から新しいＵＲＬ〔１〕に切り換えて更新する（ステップＳ５５）。
【００４５】
このように本実施形態の情報提供システムでは、ひとつの印影に複数のＵＲＬを設定できるようにした。また、情報発信者が印影コードに設定した複数のＵＲＬを、スマートフォン等のアプリを使って簡単に切り換えることもできる。これにより情報の提供方法に柔軟性や多様性を持たせることができる。また、印判を新たに購入しなくても、既に配付した印影を介して、自己のライフスタイルや近況の変化等に合わせたタイムリーな内容の情報を他のユーザに迅速に提供することができる。
【００４６】
なお、他の実施形態として、情報発信者はＵＲＬ設定画面５０で複数のＵＲＬを設定し、情報受信者側のスマートフォン６の画面にそれら複数のＵＲＬを表示させてもよい。その場合、情報受信者は、印影４を読み込んだ後に、リンク先を順次切り換えながら複数の情報提供サイトにアクセスでき、それにより様々な情報コンテンツを受け取ることができる。
【符号の説明】
【００４７】
１  印判
２  アプリケーションプログラム
３  カード（紙媒体）
４  印影
４ａ  印影コード
５、６  スマートフォン（情報端末）
１０  アプリケーションサービスサーバ
１１  データベース
１２  ＥＣサイト
２１、２２  情報発信サイト
２２ａ  情報コンテンツ
５０  ＵＲＬ設定画面
５１  アクセス制限設定画面
６０  インデックスページ
１０１  アプリ提供手段
１０２  ユーザ登録手段
１０３  アドレス登録手段
１０４  アドレス提示手段
１０５  選択アドレス切換手段
１０６  アクセス制限手段
１１１  ユーザ管理テーブル
１１２  アドレス管理テーブル
１１３  アクセス制限管理テーブル
２０１  ユーザ登録要求手段
２０２  アドレス設定要求手段
２０３  アドレス選択切換要求手段
２０４  印影読取手段
２０５  識別情報抽出手段
２０６  アドレス情報取得手段
２０７  情報提示手段
【図１】
2020061025.tif 000003
【図２】
2020061025.tif 000004
【図３】
2020061025.tif 000005
【図４】
2020061025.tif 000006
【図５Ａ】
2020061025.tif 000007
【図５Ｂ】
2020061025.tif 000008
【図６】
2020061025.tif 000009
【図７】
2020061025.tif 000010
【図８】
2020061025.tif 000011
【図９】
2020061025.tif 000012
【図１０】
2020061025.tif 000013
【図１１】
2020061025.tif 000014